(57)【要約】【課題】良好な折り曲げ特性及び柔軟性が得られ、手触り感及び外観性がよく、折り曲げ作業が機械的に行える折り曲げ罫線入りプラスチックシート及びそのプラスチックシート用罫線刃を提供する。【解決手段】プラスチックシート１の折り曲げ部分に付設される折り曲げ罫線２を、プラスチックシート１の肉厚Ａに応じた割合の深さを有する溝部３，４を、折り曲げ罫線２の底面部２ｂに形成すると共に、その溝部３，４よりも小さい溝部５…を、溝部３，４上面に沿って長手方向に対して略連続して形成する。一方、折り曲げ罫線２を付設するプラスチックシート用罫線刃６を、プラスチックシート１の肉厚Ａに応じた割合の高さを有する刃部７，８を、罫線刃６の頂面部６ｂに形成すると共に、その刃部７，８よりも小さい刃部９…を、刃部７，８下面に沿って長手方向に対して略連続して形成している。【選択図】　図４
2004083129.tif 000002
【特許請求の範囲】
【請求項１】
所定角度で傾斜し相互に対峙する一対の側面部と、該側面部の一端側と連続する幅狭の底面部とからなる凹状の折り曲げ罫線が付設されたプラスチックシートであって、
上記折り曲げ罫線よりも浅い溝部及び該浅い溝部よりも深い溝部を、該折り曲げ罫線の底面部に沿って長手方向に対して複数形成すると共に、
上記溝部よりも小さい凸状部を、上記溝部上面に沿って長手方向に対して複数形成した
折り曲げ罫線入りプラスチックシート。
【請求項２】
上記小さい凸状部を、上記浅い溝部及び又は深い溝部に形成した
請求項１記載の折り曲げ罫線入りプラスチックシート。
【請求項３】
上記浅い溝部及び深い溝部を、異なる深さ又は略同等となる深さに形成した
請求項１又は２記載の折り曲げ罫線入りプラスチックシート。
【請求項４】
上記溝部及び凸状部を、上記プラスチックシートの肉厚に略応じて所定の大きさに形成した
請求項１，２又は３記載の折り曲げ罫線入りプラスチックシート。
【請求項５】
上記溝部及び凸状部を、上記折り曲げ罫線の長手方向から見て滑らかな曲面形状に形成した
請求項１，２又は３記載の折り曲げ罫線入りプラスチックシート。
【請求項６】
プラスチックシートの折り曲げ部分に対して凹状の折り曲げ罫線を付設するときに用いられ、所定角度で傾斜し相互に対峙する一対の側面部と、該側面部の一端側と連続する幅狭の頂面部とを有するプラスチックシート用罫線刃であって、上記折り曲げ罫線よりも浅い刃部及び該浅い刃部よりも深い刃部を、上記罫線刃の頂面部に沿って長手方向に対して複数形成すると共に、
上記刃部よりも小さい凹状部を、上記刃部下面に沿って長手方向に対して複数形成した
プラスチックシート用罫線刃。
【請求項７】
上記小さい凹状部を、上記浅い刃部及び又は深い刃部に形成した
請求項６記載のプラスチックシート用罫線刃。
【請求項８】
上記浅い刃部及び深い刃部を、異なる深さ又は略同等となる深さに形成した
請求項６又は７記載のプラスチックシート用罫線刃。
【請求項９】
上記刃部及び凹状部を、上記プラスチックシートの肉厚に略応じて所定の大きさに形成した
請求項６，７又は８記載のプラスチックシート用罫線刃。
【請求項１０】
上記刃部及び凹状部を、上記罫線刃の長手方向から見て滑らかな曲面形状に形成した
請求項６，７又は８記載のプラスチックシート用罫線刃。
【発明の詳細な説明】
【０００１】
【発明の属する技術分野】
この発明は、例えば化粧品や文具、玩具、食品等の物品が収容される容器を組立てるときに用いられるプラスチックシートの折り曲げ性及び折り曲げ強度を略同時に満たし得る折り曲げ罫線入りプラスチックシート及びそのプラスチックシート用罫線刃に関する。
【０００２】
【従来の技術】
従来、上述の折り曲げ罫線が付設されたプラスチックシートとしては、例えば凹状刃部と凸状刃部とが刃先頂面部に形成された罫線刃を押し付けて、浅い溝部と深い溝部とからなる折り曲げ罫線を折り曲げ部分に形成した特許文献１の折り曲げ罫線入りプラスチックシートと、側面から見て略半円形状の凹状刃部と、略真っ直ぐな凸状刃部とが刃先頂面部に形成された罫線刃を押し付けて、側面から見て略半円形状の浅い溝部と、略真っ直ぐな深い溝部とからなる折り曲げ罫線を折り曲げ部分に形成した特許文献２の折り曲げ罫線入りプラスチックシートと、小さい凹凸が刃部に形成された罫線刃をプラスチックシートの折り曲げ部分に押し付けて、その小さい凹凸を折り曲げ罫線の内面全体に形成する特許文献３の罫線付設方法とがある。
【０００３】
【特許文献１】
実公平４−９３４５号公報。
【０００４】
【特許文献２】
特開２００１−２９３７７７号公報。
【０００５】
【特許文献３】
特開平６−２３８３５号公報。
【０００６】
【発明が解決しようとする課題】
しかし、特許文献１及び特許文献２の折り曲げ罫線入りプラスチックシートは、罫線刃により付設される折り曲げ罫線の底部肉厚を薄くすると、プラスチックシートの折り曲げ特性が向上するが、肉厚の薄い部分が長手方向に対して連続していると、プラスチックシートを折り曲げ罫線に沿って折り曲げたとき、例えば裂け目や大きな孔等が折り曲げ罫線の底部に発生しやすい。また、罫線刃をプラスチックシートに強く押し付けて、折り曲げ罫線底部の薄肉部分を故意に開口すると、その部分から、例えばゴミや水分等の異物が侵入するため、包装容器に収容される物品の商品価値や衛生度が損なわれる。且つ、溝部の段差が大きく、角部が鋭角であるため、折り曲げ部分の手触り感が悪く、布や皮等が引っ掛かりやすい。一方、罫線刃を深く食込ませて、溝部の肉厚を薄くすると、プラスチックシートが面方向に対して押し広げられるので、分子密度が高くなる。シート及び引っ張り伸び率の小さいシートは、折り曲げ罫線が裂けてしまうことがあり、伸び率の小さい生分解性プラスチックシートには形成することができない。且つ、折り曲げ部分に歪や反り、波打ち等が発生するため、見栄え及び外観が悪くなる。また、プラスチックシートを製函機により容器形態に組立てる場合、停滞したり、詰まったりするため、組立て作業を機械的に行うことが困難であるという問題点を有している。
【０００７】
また、特許文献３の罫線付設方法は、小さい凹凸を折り曲げ罫線の内面全体に形成するが、罫線刃の刃先に生じる接触抵抗が大きくなるため、折り曲げ罫線を付設するとき大きな押圧力が必要であり、付設作業に手間及び時間が掛かる。また、刃先に対して抵抗が均等に付与されにくく、罫線刃の角度や位置が変異しやすいため、折り曲げ罫線を一定の深さに形成することが困難であり、良好な折り曲げ特性及び柔軟性が得られないという問題点を有している。
【０００８】
この発明は上記問題に鑑み、プラスチックシートに付設される折り曲げ罫線の溝部上面に沿って、該溝部よりも小さい凸状部を長手方向に対して複数形成することにより、良好な折り曲げ特性及び柔軟性が得られ、手触り感及び外観性がよく、折り曲げ作業が機械的に行える折り曲げ罫線入りプラスチックシート及びそのプラスチックシート用罫線刃の提供を目的とする。
【０００９】
【課題を解決するための手段】
この発明は、所定角度で傾斜し相互に対峙する一対の側面部と、該側面部の一端側と連続する幅狭の底面部とからなる凹状の折り曲げ罫線が付設されたプラスチックシートであって、上記折り曲げ罫線よりも浅い溝部及び該浅い溝部よりも深い溝部を、該折り曲げ罫線の底面部に沿って長手方向に対して複数形成すると共に、上記溝部よりも小さい凸状部を、上記溝部上面に沿って長手方向に対して複数形成した折り曲げ罫線入りプラスチックシート。及び、プラスチックシートの折り曲げ部分に対して凹状の折り曲げ罫線を付設するときに用いられ、所定角度で傾斜し相互に対峙する一対の側面部と、該側面部の一端側と連続する幅狭の頂面部とを有するプラスチックシート用罫線刃であって、上記折り曲げ罫線よりも浅い刃部及び該浅い刃部よりも深い刃部を、上記罫線刃の頂面部に沿って長手方向に対して複数形成すると共に、上記刃部よりも小さい凹状部を、上記刃部下面に沿って長手方向に対して複数形成したプラスチックシート用罫線刃であることを特徴とする。
【００１０】
上述のプラスチックシートは、例えばポリプロピレン（ＰＰ）やポリエチレンテレフタレート（ＰＥＴ）、生分解性プラスチック等の単体又は複合したプラスチックで形成され、且つ、例えば約０．１ｍｍ〜約１ｍｍの範囲に含まれる所定の肉厚Ａ（例えば略０．３ｍｍ）に形成した透明又は半透明のシートで構成される。また、折り曲げ罫線の凸状部は、例えば凸状の溝部５や凹部、突起等で構成することができる。また、罫線刃の凹状部は、例えば凹状の刃部９や凹部、窪み部等で構成することができる。つまり、折り曲げ罫線２を、プラスチックシート１の折り曲げ部分に付設する場合、単一枚数又は複数枚数の罫線刃６を、プラスチックシート１の各折り曲げ部分に対して、そのプラスチックシート１の材質や肉厚、強度、硬度等に応じた圧力で押し付け及び所定温度に加熱しながら押し付けて、プラスチックシートに付設される折り曲げ罫線の溝部上面に、その溝部よりも小さい凸状部を長手方向に対して複数形成する。
【００１１】
上述の折り曲げ罫線２を構成する溝部３，４及びプラスチックシート用罫線刃６を構成する刃部７，８の各部Ｂ，Ｃ，Ｄ，Ｅ，Ｆ，Ｇ，θ１，θ２，Ｘを、プラスチックシート１の肉厚Ａに応じて下記の数値に設定することができる。例えば溝部３，４及び刃部７，８の長さＢ，Ｃを、プラスチックシート１の肉厚Ａに対して略３０％〜略４００％の範囲に含まれる長さ（例えば略０．８ｍｍ）に設定し、溝部４の深さＤ及び刃部８の高さＤを、プラスチックシート１の肉厚Ａに対して略１０％〜略５０％の範囲に含まれる深さ及び高さ（例えば略０．１５ｍｍ）に設定し、溝部５及び刃部９のピッチ間隔Ｅを、プラスチックシート１の肉厚Ａに対して略０．０５ｍｍ〜略０．５ｍｍの範囲に含まれる間隔（例えば略０．２ｍｍ）に設定し、溝部５の深さＦ及び刃部９の高さＦを、上述の溝部４よりも浅く及び刃部８よりも低くて、プラスチックシート１の肉厚Ａに対して略５％〜略３０％の範囲に含まれる深さ及び高さ（例えば略０．０８ｍｍ）に設定し、溝部４及び刃部８の幅Ｇを、プラスチックシート１の肉厚Ａに対して略０％〜略１００％の範囲に含まれる幅（例えば略０．０５ｍｍ）に設定し、溝部３及び刃部７の幅Ｈを、プラスチックシート１の肉厚Ａに対して略５％〜略２００％の範囲に含まれる幅（例えば略０．１５ｍｍ）に設定する。
【００１２】
且つ、折り曲げ罫線２の角度θ１及び罫線刃６の角度θ２を、プラスチックシート１の折り曲げ部分及び肉厚Ａに応じて略１５度〜略１３０度の範囲に含まれる角度に設定し、溝部４の肉厚Ｘを、例えば略０μｍ〜略１０μｍの範囲に含まれる厚さとなるように形成する。例えばプラスチックシート１の前面部１ａと、側面部１ｂと、後面部１ｃと、接合部１ｄとの折り曲げ部分に形成される折り曲げ罫線２の角度θ１及び罫線刃６の角度θ２を、プラスチックシート１の肉厚Ａに応じて所定方向に対して折り曲げが許容される角度（例えば略４３度）に設定し、折込み部１ｅと、上面部１ｆ及び下面部１ｇとの折り曲げ部分に形成される折り曲げ罫線２の角度θ１及び罫線刃６の角度θ２を、内側及び外側に対して折り曲げが許容される角度（例えば略７５度）に設定する。
【００１３】
上述のＢ，Ｃ，Ｄ，Ｅ，Ｆ，Ｇ，θ１，θ２，Ｘを設定値よりも大きくすると、プラスチックシート１に付設される折り曲げ罫線２の手触り感及び折り曲げ特性が悪くなる。また、設定値よりも小さくすると、刃先の強度が低下し、折り曲げ罫線２を付設するのに充分な効果が得られなくなるので、上述の範囲に含まれる数値に設定するのが好ましい。
【００１４】
且つ、ピッチ間隔Ｅを設定値よりも大きくすると、プラスチックシート１の折り曲げ特性が悪くなる。また、ピッチ間隔Ｅを設定値よりも小さくすると、刃先の強度が低下し、折り曲げ罫線２を付設するのに充分な効果が得られなくなるので、上述の範囲に含まれる数値に設定するのが好ましい。
【００１５】
且つ、罫線刃６の角度θ２を大きくすると、折り曲げ罫線２を付設するときに大きな加圧力が必要となり、加工が難しい。プラスチックシート１に反りや波打ち等が発生し、プラスチックシート１の折り曲げ特性が悪くなり、機械的に折り曲げることが困難となる。また、角度θ２を設定値よりも小さくすると、刃先の強度が低下し、寿命が短くなるので、上述の範囲に含まれる数値に設定するのが好ましい。
【００１６】
上述の範囲に含まれる所定の数値であれば、プラスチックシート１の肉厚Ａや材質、強度、硬度等に応じて、折り曲げ罫線２の溝部３，４，５及び罫線刃６の刃部７，８，９の幅や長さ、深さ、高さ、間隔（ピッチ）、角度等を変更し、所望する配列及び組み合わせに設定することができる。また、折り曲げ罫線２の溝部３，４，５及び罫線刃６の刃部７，８，９を、例えば側面及び正面、平面、底面から見て滑らかな曲面形状や略半円形状、略円弧形状、略扇形状、曲率半径或いは略台形状、略四角形状、略三角形状、略多角形状等の何れか特定の形状又は複数を組み合わせた形状に形成することができる。
【００１７】
且つ、折り曲げ罫線２の溝部５及び罫線刃６の刃部９を、例えば略同一又は異なる幅及び交差する状態に形成するか、梨地模様や小さい凹凸、略縄形状、略鎖形状等の特異形状に形成することができる。
【００１８】
実施の形態として、上記小さい凸状部を、上記浅い溝部及び又は深い溝部に形成することができる。また、上記浅い溝部及び深い溝部を、異なる深さ又は略同等となる深さに形成することができる。また、上記溝部及び凸状部を、上記プラスチックシートの肉厚に略応じて所定の大きさに形成することができる。また、上記溝部及び凸状部を、上記折り曲げ罫線の長手方向から見て滑らかな曲面形状に形成することができる。
【００１９】
且つ、上記小さい凹状部を、上記浅い刃部及び又は深い刃部に形成することができる。また、上記浅い刃部及び深い刃部を、異なる深さ又は略同等となる深さに形成することができる。また、上記刃部及び凹状部を、上記プラスチックシートの肉厚に略応じて所定の大きさに形成することができる。また、上記刃部及び凹状部を、上記罫線刃の長手方向から見て滑らかな曲面形状に形成することができる。
【００２０】
【作用及び効果】
この発明によれば、プラスチックシートに付設される折り曲げ罫線の溝部上面に、その溝部よりも小さい凸状部を長手方向に対して複数形成するので、プラスチックシートに付与される面方向の応力が小さく、歪や反り、波打ち等が発生したり、その部分に印刷された塗膜が剥離するのを防止することができる。且つ、溝部の段差が小さく、滑らかであるため、プラスチックシートの折り曲げ部分に手が接触しても、ザラツキ感が殆んどなく、触り心地が良い。また、布や皮等が引っ掛からず、折り曲げ部分の外観が美しく、意匠的に優れている。
【００２１】
且つ、罫線刃の刃部よりも小さい凹状部を複数押し付けて、プラスチックシートの分子密度が高くなる部分を分散させるので、折り曲げ罫線を付設するときに要する罫線刃の押圧力及び接触抵抗が大幅に軽減され、伸び率の小さい生分解性プラスチックシートであっても、折り曲げ罫線を簡単且つ容易に加工することができ、プラスチックシートの肉厚に応じて良好な折り曲げ特性及び柔軟性が得られる。また、プラスチックシートを鋭角に折り曲げても裂け目や大きな孔等が発生せず、若し、孔が発生しても極小に抑えられるため、異物が侵入しにくく、商品価値や衛生度が損なわれるのを防止することができる。
【００２２】
【実施例】
この発明の一実施例を以下図面に基づいて詳述する。
【００２３】
図面は、物品が収容される包装容器に用いられる折り曲げ罫線入りプラスチックシート及び折り曲げ罫線を付設するプラスチックシート用罫線刃を示し、図１に於いて、このプラスチックシート１は、例えば約０．３ｍｍ程度の厚さを有する透明又は半透明のプラスチック製シートで構成され、プラスチック製のシートを、包装容器（図２参照）を展開した形状に型抜き又は型抜き後、正面から見て略矩形を有する前面部１ａの両側縁部に連設した左右側面部１ｂと、一方の側面部１ｂの右側縁部に連設した後面部１ｃと、後面部１ｃの右側縁部に連設した接合部１ｄと、側面部１ｂの上下縁部に連設した折込み部１ｅ…と、前面部１ａの上縁部に連設した上面部１ｆ及び下縁部に連設した下面部１ｇと、上面部１ｆ及び下面部１ｇに連設した折込み部１ｈとの折り曲げ部分に、後述する罫線刃６により凹状の折り曲げ罫線２を形成する。また、容器形態に組立てられたプラスチックシート１を吊設するための孔部（図示省略）を、後面部１ｃの上縁部に連設した支持部（図示省略）に設けてもよい。
【００２４】
上述のプラスチックシート１の折り曲げ部分に付設される折り曲げ罫線２は、図３乃至図６に示すように、所定角度で傾斜し相互に対峙する一対の側面部２ａと、側面部２ａ，２ａの一端側と連続する底面部２ｂとで長手方向から見て略Ｖ字状に形成され、折り曲げ罫線２の底面部２ｂよりも浅く、側面から見て略円弧形状又は略半円形状の溝部３を、折り曲げ罫線２の底面部２ｂに沿って長手方向に対して所定間隔に隔てて複数形成し、その溝部３よりも深く、側面から見て略円弧形状又は略半円形状の溝部４を、浅い溝部３，３間の底面部２ｂに沿って長手方向に対して１個又は複数個形成している。
【００２５】
且つ、溝部３，４よりも浅くて小さく、長手方向（正面）から見て略直線形状で、側面から見て滑らかな曲面形状（例えば略円弧形状、略半円形状等）の凸状溝部５を、溝部３，４上面に沿って長手方向に対して略連続的又は所定間隔に隔てて形成及び長手方向に対して略直交して横長に形成すると共に、溝部３から溝部４に向けて配列した溝部５…を、長手方向（又は前後方向）に対して徐々に小さく及び幅狭となる順に配列している。
【００２６】
且つ、底面部２ｂの肉厚Ｘを、例えば略０μｍ〜略１０μｍの範囲に含まれる所定の厚さに形成する。また、溝部３，４の数を、例えば２個や３個以上等の複数に変更してもよい。なお、プラスチックシート１の肉厚Ａや材質、強度、硬度等に応じた折り曲げ罫線２を後述する罫線刃６で付設し、その折り曲げ罫線２を、罫線刃６の刃部７，８，９の組み合わせや深さ、刃数等で変更することもできる。
【００２７】
且つ、溝部３，４の長さＢ，Ｃを、略０．８ｍｍに設定し、溝部４の深さＤを、略０．１５ｍｍに設定し、溝部５のピッチ間隔Ｅを、略０．２ｍｍに設定し、溝部５の深さＦを、略０．０８ｍｍに設定し、溝部４の幅Ｇを、略０．１ｍｍに設定し、溝部３の幅Ｈを、略０．１５ｍｍに設定している。
【００２８】
且つ、プラスチックシート１の組立て作業を機械的に行う場合、前面部１ａと、側面部１ｂと、後面部１ｃと、接合部１ｄとの折り曲げ部分に形成される折り曲げ罫線２の角度θ１を、プラスチックシート１の肉厚Ａに応じて所定方向に対して折り曲げが許容される角度（例えば略４３度）に設定し、折込み部１ｅと、上面部１ｆ及び下面部１ｇとの折り曲げ部分に形成される折り曲げ罫線２の角度θ１を、内側及び外側に対して折り曲げが許容される角度（例えば略７５度）に設定する。
【００２９】
一方、上述の折り曲げ罫線２を付設するときに用いられるプラスチックシート用罫線刃６は、図４、図７、図８に示すように、所定角度で傾斜し相互に対峙する一対の側面部６ａと、側面部６ａ，６ａの一端側と連続する幅狭の頂面部６ｂとで長手方向から見て略Ｖ字状に形成され、罫線刃６の頂面部６ｂよりも食込み量が浅く、側面から見て略円弧形状又は略半円形状の刃部７を、罫線刃６の頂面部６ｂに沿って長手方向に対して所定間隔に隔てて複数形成し、その刃部７よりも食込み量が深く、側面から見て略円弧形状又は略半円形状の刃部８を、浅い刃部７，７間の頂面部６ｂに沿って長手方向に対して複数形成している。また、深い刃部８の刃数を、例えば４枚以下又は４枚以上に変更してもよい。
【００３０】
且つ、刃部７，８よりも浅くて小さく、長手方向（正面）から見て略直線形状で、側面から見て滑らかな曲面形状（例えば略円弧形状、略半円形状等）の凹状刃部９を、刃部７，８下面に沿って長手方向に対して略連続的又は所定間隔に隔てて形成及び長手方向に対して略直交して横長に形成すると共に、刃部７から刃部８に向けて配列した刃部９…を、長手方向（又は前後方向）に対して徐々に小さく及び幅狭となる順に配列している。その刃部７，８を、例えば円柱ヤスリやワイヤー等の切削手段により所定形状に切削加工する。つまり、刃部７，８の長さＢ，Ｃを、略０．８ｍｍに設定し、刃部７の高さＤを、略０．１５ｍｍに設定し、刃部９のピッチ間隔Ｅを、略０．２ｍｍに設定し、刃部９の高さＦを、略０．０８ｍｍに設定し、刃部８の幅Ｇを、略０．１ｍｍに設定し、刃部７の幅Ｈを、略０．１５ｍｍに設定している。なお、罫線刃６の刃先底面図は、図５に示す折り曲げ罫線２と略同一であるので、その図示を省略する。
【００３１】
且つ、プラスチックシート１の前面部１ａと、側面部１ｂと、後面部１ｃと、接合部１ｄとの折り曲げ部分に対して折り曲げ罫線２を形成する罫線刃６の刃先角度θ２を、各部１ａ，１ｂ，１ｃが所定方向に対して折り曲げ許容される角度（例えば略４３度）に設定し、折込み部１ｅと、上面部１ｆ及び下面部１ｇとの折り曲げ部分に対して折り曲げ罫線２を形成する罫線刃６の刃先角度θ２を、各部１ｅ，１ｆ，１ｇが内側及び外側に対して折り曲げが許容される角度（例えば略７５度）に設定している。また、実施例では、罫線刃６の肉厚Ｈを、例えば略０．７ｍｍに設定しているが、この数値に限定されるものではなく、略０．７ｍｍ以下及び略０．７ｍｍ以上の肉厚Ｈに変更することもできる。
【００３２】
図示実施例は上記の如く構成するものにして、以下、上述の罫線刃６を用いて、プラスチックシート１に折り曲げ罫線２を付設する方法及びその折り曲げ罫線２が付設されたプラスチックシート１の組立て方法を説明する。
【００３３】
先ず、折り曲げ罫線２を付設する場合、プラスチック製のシートを、型本体に取り付けられた型抜き刃で型抜きするとき又は型抜きした後、図７に示す罫線刃６を、図１及び図４に示すように、プラスチックシート１の前面部１ａと、側面部１ｂと、後面部１ｃと、接合部１ｄとの折り曲げ部分と、折込み部１ｅと、上面部１ｆと、下面部１ｇとの折り曲げ部分とに、そのプラスチックシート１の肉厚Ａや材質、強度、硬度等に応じた圧力で押し付けて、図３、図５、図６に示す折り曲げ罫線２を、プラスチックシート１の各折り曲げ部分に形成する。
【００３４】
一方、折り曲げ罫線２が付設されたプラスチックシート１を、図２に示す側面から見て略矩形の容器形態に組立てる場合、前面部１ａと、側面部１ｂと、後面部１ｃと、接合部１ｄと、折込み部１ｅ…と、上面部１ｆ及び下面部１ｇとを折り曲げ罫線２に沿って所定の方向及び角度に折り曲げ、一方の側面部に連設した接合部１ｄと、他方の側面部１ｂとを接着剤で接着固定し、下縁側の折込み部１ｅと、上面部１ｆ及び下面部１ｇとを内側に折り曲げて閉塞する。
【００３５】
且つ、物品を収容するとき、上縁側の折込み部１ｅと、上面部１ｆ及び下面部１ｇとを一旦外側に折り曲げて開放し、物品を収容してから閉塞するので、自動製函機（図示省略）による組立て作業及び自動収容機（図示省略）による物品の収容作業が容易に行える。また、接合部１ｄを、例えば溶着や高周波溶着等により接合固定してもよい。
【００３６】
以上のように、プラスチックシート１に付設される折り曲げ罫線２の溝部３，４よりも小さく且つ浅い溝部５…を、溝部３，４上面に沿って長手方向に対して複数形成するので、プラスチックシート１に付与される面方向の応力が小さく、歪や反り、波打ち等が折り曲げ部分に発生したり、その部分に印刷された塗膜が剥離するのを防止することができる。且つ、溝部３，４よりも溝部５の方が小さく浅いため、プラスチックシート１の折り曲げ部分に手が接触しても、ザラツキ感が殆んどなく、触り心地が良い。また、布や皮等が引っ掛からず、折り曲げ部分の外観が美しく、意匠的に優れている。
【００３７】
且つ、罫線刃６の刃部７，８よりも小さい刃部９…を押し付けて、プラスチックシート１の分子密度が高くなる部分を分散させるので、折り曲げ罫線２を付設するときに要する罫線刃６の押圧力及び接触抵抗が大幅に軽減され、伸び率の小さい生分解性プラスチックシートであっても、折り曲げ罫線２を簡単且つ容易に加工することができ、プラスチックシート１の肉厚Ａに応じて良好な折り曲げ特性及び柔軟性が得られる。また、プラスチックシート１を鋭角に折り曲げても裂け目や大きな孔等が発生せず、若し、孔が発生しても極小に抑えられるため、異物が侵入しにくく、商品価値や衛生度が損なわれるのを防止することができる。
【００３８】
且つ、折り曲げ罫線２の底面部２ｂ両側部を中心として折り曲げるので、従来例のような折り曲げ罫線の底面中央部を１箇所折り曲げるよりも裂けにくく、長い溝部３の肉厚が従来例の折り曲げ罫線よりも大きいため、折り曲げるのに必要な強度が確保され、組立て及び展開が何回でも繰り返し行えると共に、プラスチックシート１の折り曲げ作業及び組立て作業を機械的に行うことができる。
【００３９】
図９は、折り曲げ罫線２及び罫線刃６の他の例を示し、溝部５及び刃部９を、溝部４及び刃部８よりも深い及び略同等となる深さの溝部３及び刃部７に形成している。その溝形状と略対応する罫線刃６を用いて、プラスチックシート１に折り曲げ罫線２を形成するので、前述の実施例と略同等の作用及び効果を奏することができる。また、溝部３及び刃部７を、溝部４及び刃部８よりも浅い溝部３及び刃部７に形成してもよい。
【００４０】
図１０は、折り曲げ罫線２及び罫線刃６のその他の例を示し、溝部３及び刃部７を、側面から見て略三角形状に形成し、溝部５及び刃部９を、その溝部３…間の溝部４及び刃部７…間の刃部８に形成している。その溝形状と略対応する罫線刃６を用いて、プラスチックシート１に折り曲げ罫線２を形成するので、前述の実施例と略同等の作用及び効果を奏することができる。
【００４１】
図１１は、折り曲げ罫線２及び罫線刃６のその他の例を示し、溝部５及び刃部９を、側面から見て略台形状を有する溝部３，４及び刃部７，８の両方に形成している。その溝形状と略対応する罫線刃６を用いて、プラスチックシート１に折り曲げ罫線２を形成するので、前述の実施例と略同等の作用及び効果を奏することができる。また、溝部５を、溝部３，４の何れか一方に形成し、刃部９を、刃部７，８の何れか一方に形成するだけでもよい。
【００４２】
図１２は、折り曲げ罫線２及び罫線刃６のその他の例を示し、溝部５を、溝部３の頂部及び溝部４の谷部に形成し、刃部９を、刃部７の上端中央部及び刃部８の下端中央部に形成している。その溝形状と略対応する罫線刃６を用いて、プラスチックシート１に折り曲げ罫線２を形成するので、前述の実施例と略同等の作用及び効果を奏することができる。
【００４３】
図１３は、折り曲げ罫線２及び罫線刃６のその他の例を示し、図中の（イ）は、溝部５及び刃部９を、罫線付設方向（又は長手方向）に対して所定角度に交差する状態に形成している。図中の（ロ）は、溝部５及び刃部９を、例えばダイヤモンド形状や略平行四辺形等の所定角度に交差する状態に形成している。図中の（ハ）は、例えば梨地模様や小さい凹凸等の特異形状を有する凸状の溝部５及び凹状の刃部９を、罫線付設方向（又は長手方向）に対して多数形成している。その（イ）、（ロ）、（ハ）の溝形状と略対応する罫線刃６を用いて、プラスチックシート１に折り曲げ罫線２を形成するので、前述の実施例と略同等の作用及び効果を奏することができる。また、溝部５及び刃部９を、例えば略縄形状や略鎖形状等の特異形状に形成することもできる。
【００４４】
図１４、図１５、図１６、図１７は、折り曲げ罫線２及び罫線刃６のその他の例を示し、溝部３，４，５及び刃部７，８，９を、長手方向（正面）から見て及び短手方向（側面）から見て滑らかな曲面形状（例えば略円弧形状、略半円形状等）及び所定の曲率半径に形成している。且つ、平面から見た折り曲げ罫線２の溝部３，４，５及び底面から見た罫線刃６の刃部７，８，９を、滑らかな曲面形状（例えば略楕円形状、略流線形状等）に形成している。その溝形状と略対応する罫線刃６を用いて、プラスチックシート１に折り曲げ罫線２を形成するので、前述の実施例と略同等の作用及び効果を奏することができる。また、溝部５及び刃部９の両端部を滑らかな曲面形状に形成してもよい。
【００４５】
図１８は、折り曲げ罫線２及び罫線刃６のその他の例を示し、折り曲げ罫線２の溝部３，４間に形成した溝部５…及び罫線刃６の刃部７，８間に形成した刃部９…を、長手方向と略平行する方向に対して滑らかな曲面形状（例えば略楕円形状、略流線形状等）に形成すると共に、溝部３から溝部４に向けて配列した溝部５…及び刃部７から刃部８に向けて配設した刃部９…を、長手方向（又は前後方向）に対して徐々に小さく及び幅狭となる順に配列（例えば略円形状から略楕円形状となる順）している。その溝形状と略対応する罫線刃６を用いて、プラスチックシート１に折り曲げ罫線２を形成するので、前述の実施例と略同等の作用及び効果を奏することができる。
【００４６】
なお、前述の折り曲げ罫線２を加工する他の方法として、例えば所定温度に加熱された罫線刃６をプラスチックシート１の折り曲げ部分に押し付けて加工するか、略円板状や略ループ状の回転罫線刃（図示省略）をプラスチックシート１に押し付けながら回転させて加工することもできる。
【００４７】
且つ、折り曲げ罫線２を、例えばピロー型包装容器や略三角形状、略楕円形状等の様々な容器を構成するプラスチックシート１に付設するか、プラスチックシート１の折り曲げ部分に対して複数条平行して形成してもよく、実施例の容器形態に組立てられるプラスチックシート１のみに用途が限定されるものではない。
【図面の簡単な説明】
【図１】折り曲げ罫線入りプラスチックシートを示す展開図。
【図２】プラスチックシートを容器形態に組立てた状態を示す斜視図。
【図３】プラスチックシートに形成した折り曲げ罫線を示す斜視図。
【図４】折り曲げ罫線の溝形状及び罫線刃の刃部形状を示す側面図。
【図５】プラスチックシートに形成した溝部の配列状態を示す平面図。
【図６】折り曲げ罫線の溝形状を示す縦断端面図。
【図７】折り曲げ罫線を付設する罫線刃を示す斜視図。
【図８】罫線刃の刃先形状を示す縦断端面図。
【図９】折り曲げ罫線及び罫線刃の他の例を示す側面図。
【図１０】折り曲げ罫線及び罫線刃のその他の例を示す側面図。
【図１１】折り曲げ罫線及び罫線刃のその他の例を示す側面図。
【図１２】折り曲げ罫線及び罫線刃のその他の例を示す側面図。
【図１３】折り曲げ罫線及び罫線刃のその他の例を示す説明図。
【図１４】折り曲げ罫線及び罫線刃のその他の例を示す断面図。
【図１５】プラスチックシートに形成した略楕円形状の溝部を示す平面図。
【図１６】略楕円形状を有する溝部の配列状態を示す斜視図。
【図１７】略楕円形状を有する刃部の配列状態を示す斜視図。
【図１８】溝部及び刃部の他の配列状態を示す説明図。
【符号の説明】
１…プラスチックシート
２…折り曲げ罫線
２ｂ…底面部
３，４，５…溝部
６…罫線刃
６ｂ…頂面部
７，８，９…刃部
【図１】
2004083129.tif 000003
【図２】
2004083129.tif 000004
【図３】
2004083129.tif 000005
【図４】
2004083129.tif 000006
【図５】
2004083129.tif 000007
【図６】
2004083129.tif 000008
【図７】
2004083129.tif 000009
【図８】
2004083129.tif 000010
【図９】
2004083129.tif 000011
【図１０】
2004083129.tif 000012
【図１１】
2004083129.tif 000013
【図１２】
2004083129.tif 000014
【図１３】
2004083129.tif 000015
【図１４】
2004083129.tif 000016
【図１５】
2004083129.tif 000017
【図１６】
2004083129.tif 000018
【図１７】
2004083129.tif 000019
【図１８】
2004083129.tif 000020